(57)【要約】【課題】新規にネットワークエレメントを増設する区間をしようしているパスの状態をオペレーションシステムが収集し、該収集結果をパスの状態別に分類することで、保守者が行うリングネットワーク状態を調査する作業を軽減し、同一状態の複数のパスに対してパス切替を一括して行うネットワークオペレーションシステムを提供することを目的とする。【解決手段】パスの切替状態およびパスの運用状態を収集するパス一覧連携部と、ネットワークエレメントを増設する区間を使用しているパスを選別する警報画面連携部と、パスの切替状態を格納するデータベース部と、オペレーションシステム端末によるオペレーション状況によって該パス一覧連携部と該警報画面連携部を制御する要求処理部とを備える。【選択図】          図３
2004247787.tif 000002
【特許請求の範囲】
【請求項１】
少なくとも２以上のネットワークエレメントによって構成されるリングネットワークに、新規にネットワークエレメントを増設するためにリングネットワークを制御するオペレーションシステムにおいて、
ネットワーク保守者が、オペレーションシステム端末にて、ネットワークエレメントを増設するリングネットワークおよび増設区間を指示すること、および、パスの切替を行うか否かを判断した結果を指示することによって、後記の、パス一覧連携部および警報画面連携部を、そしてリングネットワークを構成するネットワークエレメントを制御する要求処理部と、
該要求処理部の制御により、後記のデータベース部よりパスの切替状態を収集すること、および該ネットワークエレメントよりパスの運用状態を収集することを実行するパス一覧連携部と、
該ネットワークエレメントを増設する区間を使用しているパスを選別する警報画面連携部と、
パスの切替状態を格納するデータベース部と、
を備えることにより、
該ネットワークエレメントを増設する区間を使用しているパスの切替状態および運用状態を収集しオペレーションシステム端末にパス毎に表示し、パスの状態に基づき、切替状態の遷移制御および切替制御を連続した処理として実行することを特徴とするネットワークオペレーションシステム。
【請求項２】
請求項１に記載のネットワークオペレーションシステムにおいて、新規にネットワークエレメントを増設するリングネットワークに存在するパスに関する切替状態および運用状態を収集し、該収集結果から増設区間を使用しているパスを、切替可能パス、切替判断パス、切替不可パスに分類し、オペレーションシステム端末に表示することにより、ネットワーク保守者にパスの切替を行う判断を促すことを特徴とするネットワークオペレーションシステム。
【請求項３】
請求項１に記載のネットワークオペレーションシステムにおいて、請求項２に記載の切替判断パスを有するネットワークエレメントの切替状態を制御することにより、該ネットワークエレメントが有する該切替判断パスを切替が可能な状態に遷移させ、一括して手動切替することを特徴とするネットワークオペレーションシステム。
【発明の詳細な説明】
【０００１】
【発明の属する技術分野】
本発明は、ネットワーク保守者（以降、保守者と記載する。）がネットワークを監視および制御するオペレーションシステムに係り、ＳＯＮＥＴ（ｓｙｎｃｈｒｏｎｏｕｓｏｐｔｉｃａｌ  ｎｅｔｗｏｒｋ）伝送方式もしくはＳＤＨ（ｓｙｎｃｈｒｏｎｏｕｓ  ｄｉｇｉｔａｌ  ｈｉｅｒａｒｃｈｙ）伝送方式を用いたリングネットワークにおいて、回線収容が増加したために新たに伝送端局装置等のネットワークエレメントを増設する場合のネットワークオペレーションシステムに関する。
【０００２】
【従来の技術】
従来、ＳＯＮＥＴ伝送方式もしくはＳＤＨ伝送方式を用いた複数の伝送装置等のネットワークエレメントがリング状に接続されるＵＰＳＲ（ｕｎｉ−ｄｉｒｅｃｔｉｏｎａｌ  ｐａｔｈ  ｓｗｉｔｃｈｅｄ  ｒｉｎｇ）等のリングネットワークにおいて、回線増加に伴って新たにネットワークエレメントを該リングネットワークに増設する場合、保守者はオペレーションシステム端末がオペレーションシステムのデータベースに格納されている情報を表示した画面を組み合わせて、該リングネットワークの増設区間を使用しているパスの切替状態および警報状態を調査し、該調査結果に応じたパス切替を実施することで、該増設区間のパスを退避させてから新たなネットワークエレメントの増設を行っている。
【０００３】
ネットワークエレメントの増設については、増設工事の観点から、スケジューリング、増設手順の決定、ネットワークエレメントへの制御をオペレーションシステムにより自動実行しているものもある（例えば、特許文献１参照）。
以降、図を用いてネットワークエレメント増設の処理フローを説明する。
図１２は従来のネットワークエレメント増設処理フローである。
【０００４】
図１３はオペレーションシステム端末に表示されるリングネットワーク画面であり、オペレーションシステムが管理しているネットワークの中から、保守者によって選択されたリングネットワークの構成を、オペレーションシステムが備えるデータベース部が格納する情報に基づいて表示されるものである。
図１４はオペレーションシステム端末に表示されるパス一覧画面であり、オペレーションシステムが管理しているネットワークにおけるリングネットワーク名称、該リングネットワークに収容されているパス名称、およびセクション名を、オペレーションシステムが備えるデータベース部が格納する情報に基づいて表示されるものである。
【０００５】
図１５はオペレーションシステム端末に表示されるパス一括切替画面であり、オペレーションシステムが管理しているネットワークに収容されているパスの運用状態、および切替状態を示すものであり、リングネットワーク名称、パス名称、運用状態、切替状態を、オペレーションシステムが備えるデータベース部が格納する情報に基づいて表示されるものである。なお、ここで、ロックアウトとはパスの切替において切替状態を固定することであり、強制切替とはパスの切替において切替先のパスに警報が存在していても切替が可能な切替手段であり、手動切替とはパスの切替において切替先のパスに警報が存在しているならば切替が不可な切替手段である。
【０００６】
図１６はオペレーションシステム端末に表示されるパス警報画面であり、オペレーションシステムが管理しているネットワークにおいて発生した警報を示すものであり、発生時刻、警報の発生したリングネットワーク名称、パス名称、警報を、オペレーションシステムが備えるデータベース部が格納する情報に基づいて表示されるものである。
【０００７】
図１７はオペレーションシステム端末に表示されるネットワークエレメント登録画面であり、オペレーションシステムにネットワークエレメントを登録するための情報を示すものであり、装置Ｎｏ．、装置名称、装置種別、装置識別子、ＩＰアドレス、ゲートウェイアドレスを、オペレーションシステムに登録する。
図１２に基づいて従来のネットワークエレメント増設処理フローを説明する。
【０００８】
保守者は、図１３のリングネットワーク画面にて、新規にネットワークエレメントを増設することでリングネットワークの構成が変更になるリングネットワークを選択し（Ｓ２１）、ネットワークエレメントを増設する該リングネットワークの区間を示すセクション名を確認する（Ｓ２２）。
保守者は図１４のパス一覧画面にて、前記ステップＳ２２で確認したリングネットワークの区間を示すセクション名に基づいて、ネットワークエレメントを増設するために切替を実施するパス名を確認する（Ｓ２３）。
【０００９】
一例として、図１３においてネットワークエレメントＢとネットワークエレメントＣの間、つまりセクションＢＣにネットワークエレメントを増設しようとする場合、図１４のパス一覧画面よりネットワークエレメントを増設するためにパスの切替を実施するパス名称がパスＢ，パスＥであることを確認する。
保守者は図１５のパス一括切替画面にて、パス切替対象となるパスの運用状態と切替状態を確認し、下記の作業を実施する（Ｓ２４）。
・運用状態が非運用のパスについては、そのままの状態にしておく。
・運用状態が運用、かつ切替状態がロックアウト中のパスについては、該パスのロックアウトを解除する。
・運用状態が運用、かつ切替状態が強制切替中のパスについては、該パスの強制切替を解除する。
・運用状態が運用、かつ切替状態が手動切替中のパスについては、該パスの手動切替を解除する。
【００１０】
前記の一例において、図１５のパス一括切替画面においてリングネットワークＡでパスＢは運用状態が運用、切替状態が手動切替中であることが確認でき、該リングネットワークＡでパスＢを選択し、図１５の下部にある手動切替解除により手動切替の解除を行う。
保守者は図１６のパス警報画面にて、パス毎に切替先のパス警報を確認する（Ｓ２５）。
【００１１】
保守者は、前記ステップＳ２４の処理の結果、図１５のパス一括切替画面にて運用状態が運用、かつ切替状態が自動切替になっており、図１６のパス警報画面にて切替先にパス警報が無いパスに対し一括手動切替を実施する。また、前記ステップＳ２４の処理の結果、図１５のパス一括切替画面にて運用状態が運用、かつ切替状態が自動切替になっており、図１６のパス警報画面にて切替先にパス警報が有るパスに対し一括強制切替を実施する（Ｓ２６）。
【００１２】
保守者は、前記ステップＳ２６の処理の結果、図１５のパス一括切替画面にて、ネットワークエレメントを増設する区間において運用状態が運用となっているパスが存在しないことを確認する（Ｓ２７）。
保守者は、図１７のネットワークエレメント登録画面にて新規に増設するネットワークエレメントに関するパラメータを登録する（Ｓ２８）。
【００１３】
保守者は、リングネットワーク構成が物理的に変更されたことを確認し、オペレーションシステム内の論理データを変更する（Ｓ２９）。
【００１４】
【特許文献１】
特開平９−５１３７８号「ネットワークエレメント増設工事のフロースルー化方式」
【００１５】
【発明が解決しようとする課題】
以上記載したように、回線増加に伴って新規にネットワークエレメントをリングネットワークに増設する場合、保守者は前記の従来の技術で説明した、オペレーションシステム端末がオペレーションシステムのデータベース部に格納されている情報を表示した画面を組み合わせて、該リングネットワークの増設区間を使用しているパスの切替状態および警報状態を調査し、該調査結果に応じたパス切替を実施することで、該増設区間のパスを退避させてから新たなネットワークエレメントの増設を行っている。そのため、保守者は図１５のパス一括切替画面により、ネットワークエレメントを増設するために切替が必要となるパスを抽出し、該抽出した全てのパスについて、運用状態や切替状態を確認し、ロックアウト中、強制切替中、手動切替中のパスについて、ロックアウト、強制切替、手動切替の解除を行っていた。また、図１６に示すパス警報画面により切替先のパスの警報を確認し、パスの切替が実行できるかを確認しており、保守者には多くの調査作業が必要となっており、操作ミスや必要な設定洩れを誘発する可能性があった。
【００１６】
本発明は、新規にネットワークエレメントを増設する区間を使用しているパスの状態をオペレーションシステムが収集し、該収集結果をパスの状態別に分類することで、保守者のリングネットワーク状態を調査する作業が軽減され、同一状態の複数のパスに対してパス切替を一括して行うネットワークオペレーションシステムを提供することを目的とする。
【００１７】
【課題を解決するための手段】
第一の発明は、少なくとも２以上のネットワークエレメントによって構成されるリングネットワークに、新規にネットワークエレメントを増設するためにリングネットワークを制御するオペレーションシステムにおいて、ネットワーク保守者が、オペレーションシステム端末にて、ネットワークエレメントを増設するリングネットワークおよび増設区間を指示すること、および、パスの切替を行うか否かを判断した結果を指示することによって、後記の、パス一覧連携部および警報画面連携部を、そしてリングネットワークを構成するネットワークエレメントを制御する要求処理部と、該要求処理部の制御により、後記のデータベース部よりパスの切替状態を収集すること、および該ネットワークエレメントよりパスの運用状態を収集することを実行するパス一覧連携部と、該ネットワークエレメントを増設する区間を使用しているパスを選別する警報画面連携部と、パスの切替状態を格納するデータベース部と、を備えることにより、該ネットワークエレメントを増設する区間を使用しているパスの切替状態および運用状態を収集しオペレーションシステム端末にパス毎に表示し、パスの状態に基づき、切替状態の遷移制御および切替制御を連続した処理として実行することを特徴とするネットワークオペレーションシステムである。
【００１８】
第一の発明によれば、前記のパス一覧連携部でパスの切替状態およびパスの運用状態を収集することによって、保守者が行う、リングネットワーク状態を調査する作業を軽減することが可能となる。
第二の発明は、第一の発明に記載のネットワークオペレーションシステムにおいて、新規にネットワークエレメントを増設するリングネットワークに存在するパスに関する切替状態および運用状態を収集し、該収集結果から増設区間を使用しているパスを、切替可能パス、切替判断パス、切替不可パスに分類し、オペレーションシステム端末に表示することにより、ネットワーク保守者にパスの切替を行う判断を促すことを特徴とするネットワークオペレーションシステムである。
【００１９】
第二の発明によれば、リングネットワークに存在するパスを、切替可能パス、切替判断パス、切替不可パスに分類することによって、保守者が行う、切替が可能か否かの判断をするパスを特定が可能となる。
第三の発明は、第一の発明に記載のネットワークオペレーションシステムにおいて、第二の発明に記載の切替判断パスを有するネットワークエレメントの切替状態を制御することにより、該ネットワークエレメントが有する該切替判断パスを切替が可能な状態に遷移させ、一括して手動切替することを特徴とするネットワークオペレーションシステムである。
【００２０】
第三の発明によれば、切替判断パスを切替可能な状態に遷移することで、切替可能と判断された全てのパスを一括して手動切替することが可能となり、保守者が行うリングネットワークおよびオペレーションシステムに対する作業の軽減が可能となる。
【００２１】
【発明の実施の形態】
以降、図面を併用して、本発明の技術を詳細に説明する。
図１、図２は、第一の発明に係わる、新規にネットワークエレメントをリングネットワークに増設するネットワークエレメント増設処理フローである。
図３は、第二の発明に係わる、パスの切替状態と運用状態を収集する情報収集処理シーケンスである。
【００２２】
図４は、第三の発明に係わる、パスの切替を実施する切替シーケンスである。
図５は、オペレーションシステムが管理しているリングネットワークの中から、新規にネットワークエレメントを増設するリングネットワークを選択する、オペレーションシステム端末のリングネットワーク選択制御を示している。
図６は、前記図５において選択されたリングネットワークにおいて、ネットワークエレメントを増設する区間を選択するオペレーションシステム端末の増設区間選択制御を示している。
【００２３】
図７は、前記図６において選択制御された増設する区間のパスについて切替可能パスと切替判断パスと切替不可パスのパス数を示すオペレーションシステム端末のパス情報収集結果（選択制御前）を示しており、該切替判断パスについては手動切替中、強制切替中、ロックアウト中、切替先警報有に分類した結果を示している。なお、ここで、切替可能パスとは、現時点で問題なく切替が可能なパスである。切替判断パスとは、現時点では切替はできないが、状態遷移の許可があれば問題なく切替が可能なパスであり、保守者による切替が可能か否かの判断が必要である。切替不可パスとは、冗長構成になっていないパスであるため切替が不可能なパスである。また、パス名称を確認する場合は、本図（図７）の最下段にあるパス一覧を選択することでパス一覧を参照することができる。
【００２４】
図８は、前記図７において収集されたパス情報の中で切替判断パスについて、保守者が切替が可能か否かを判断した結果を示すオペレーションシステム端末のパス情報収集結果（選択制御後）を示している。
図９は、増設されたネットワークエレメントに対しネットワークエレメント間の物理接続の変更を促すオペレーションシステム端末の区間物理接続制御を示しており、本図（図９）ではセクションＢＣ区間にネットワークエレメントＺを増設する場合を示している。また、物理接続の変更が完了した場合は接続完了のＯＫをマークする。物理接続を別途行う場合は省略をマークする。
【００２５】
図１０は、増設されたネットワークエレメントの登録に必要な情報を示すオペレーションシステム端末の増設ネットワークエレメント登録制御を示している。
図１１は、リングネットワーク内に増設されたネットワークエレメントの論理データを組み込む処理を行うオペレーションシステム端末の区間論理接続制御を示している。
【００２６】
以下に、第一の発明に係わる、新規にネットワークエレメントをリングネットワークに増設する処理について、図１、図２に示したネットワークエレメント増設処理フロー（１）、（２）に基づいて説明する。先ずは、図１に示したネットワークエレメント増設処理フロー（１）を説明する。
保守者は、新規にネットワークエレメントエレメントを増設するリングネットワークを、図５に示すオペレーションシステム端末画面であるリングネットワーク選択制御より選択する（Ｓ１）。
【００２７】
保守者は、新規にネットワークエレメントを増設する区間を、前記ステップＳ１の結果選択されたリングネットワークの構成を示す図６のオペレーションシステム端末画面である増設区間選択制御より選択する（Ｓ２）。
オペレーションシステムが備える要求処理部は、前記ステップＳ２における増設区間選択の結果により、オペレーションシステムが備えるパス一覧連携部に対しパス情報収集を実行する（Ｓ３）。
【００２８】
該パス一覧連携部は、前記ステップＳ１にて選択されたリングネットワークの配下に存在する全てのパスの切替状態をオペレーションシステムが備えるデータベース部より収集する（Ｓ４）。
該パス一覧連携部は、前記ステップＳ１にて選択されたリングネットワークの配下に存在する全てのパスの運用状態をネットワークエレメントより収集する（Ｓ５）。
【００２９】
該パス一覧連携部は、前記ステップＳ４とＳ５で収集したパスの切替状態と運用状態をパス単位毎に編集したパス情報収集結果を該要求処理部に通知する（Ｓ６）。
該要求処理部は、オペレーションシステムが備える警報画面連携部に、前記ステップＳ６で得られたパス情報収集結果を転送する。該警報画面連携部は、前記ステップＳ２で選択された増設区間内を現用として使用しているパスを、パス情報収集結果より知れるパス単位の切替状態と運用状態に基づいて、切替可能パス、切替判断パス、切替不可パスに分類し、その結果を該要求処理部へ応答する（Ｓ７）。
【００３０】
保守者は、前記ステップＳ７の結果として、パスの選択区間毎に図７に示すオペレーションシステム端末画面であるパス情報収集結果（選択制御前）により、切替判断パスに分類されているパスが切替可能か否かを判断する（Ｓ８）。
次に、前記のステップＳ３からＳ７までのオペレーションシステムの処理フローにおいて、第二の発明に係わる情報収集処理シーケンスを、図３を用いて説明する。
【００３１】
図３は、ネットワークエレメントを増設するために、パスの切替状態と運用状態を収集する情報収集処理シーケンスであり、オペレーションシステム端末１と、要求処理部２１、警報画面連携部２２、パス一覧連携部２３、データベース部２４を備えるオペレーションシステム２と、リングネットワークを構成するネットワークエレメント３との処理を示している。
【００３２】
該オペレーションシステム端末１は、前記ステップＳ２における増設区間選択制御の結果を該要求処理部２１に通知する（ａ）。
該要求処理部２１は、通知された増設区間より知れるリングネットワークをもとに、該パス一覧連携部２３に対しパス情報収集を通知する（ｂ）。
該パス一覧連携部２３は、データベース部２４にアクセスし（ｃ）、前記シーケンスｂによって通知されたリングネットワークの配下に存在する全てのパスの切替状態を収集する（ｄ）。なお、該シーケンスｃ、ｄは該当するパスの数に応じて繰り返し実施する。
【００３３】
該パス一覧連携部２３は、該ネットワークエレメント３にアクセスし（ｅ）、前記シーケンスｂによって通知されたリングネットワークの配下に存在する全てのパスの運用状態を収集する（ｆ）。なお、該シーケンスｅ、ｆは該当するネットワークエレメントの数に応じて繰り返し実施する。
該パス一覧連携部２３は、前記シーケンスｄ、ｆで収集した切替状態と運用状態をパス単位毎に編集したパス情報収集結果を該要求処理部２１に通知する（ｇ）。
【００３４】
該要求処理部２１は、該警報画面連携部２２に前記シーケンスｇで得られたパス毎のパス情報収集結果および前記シーケンスａで通知された増設区間を通知する（ｈ）。
該警報画面連携部２２は、前記のシーケンスｈで知れるパス情報収集結果および増設区間より、該増設区間を現用として使用しているパスのパス情報を選び出し、切替可能パス、切替判断パス、切替不可パスに分類し、その結果を該要求処理部２１へ通知する（ｉ）。
【００３５】
該要求処理部２１は、前記シーケンスｉで通知された情報を該オペレーションシステム端末１へ通知する（ｊ）。
次に、図２に示したネットワークエレメント増設処理フロー（２）を説明する。
前記図１の説明にて記載した前記ステップＳ８において、保守者は、前記ステップＳ７の結果として、パスの選択区間毎に図７に示すオペレーションシステム端末画面であるパス情報収集結果（選択制御前）により、切替判断パスに分類されているパスが切替可能か否かを判断し、その結果を図８に示す様にオペレーションシステム端末画面であるパス情報収集結果（選択制御後）に切替ＯＫもしくは切替ＮＧを投入する（Ｓ９）。
【００３６】
前記ステップＳ９における切替可能か否かの判断の結果、オペレーションシステムが備える要求処理部は、図８のパス情報収集結果（選択制御後）より知れる、切替判断パスに属する切替可能なパスに対し、切替が可能な状態に遷移させるべくネットワークエレメントに対して下記の制御を行う（Ｓ１０）。
・手動切替中で切替ＯＫのパスに対しては、手動切替を解除する。
・強制切替中で切替ＯＫのパスに対しては、強制切替を解除する。
・ロックアウト中で切替ＯＫのパスに対しては、ロックアウトを解除する。
・切替先警報有で切替ＯＫのパスに対しては、強制切替を行う。
・切替ＮＧのパスに対しては、制御は行わない。
【００３７】
切替先の警報要因が取り除かれ、保守者が切替可能と判断した全てのパスが切替可能な状態に遷移した場合、オペレーションシステムが備える要求処理部は、ネットワークエレメントに対してパス手動切替を実施する（Ｓ１１）。
保守者は、ネットワークエレメント間の物理接続変更制御を、図９に示すオペレーションシステム端末画面である区間物理接続制御にて指示する（Ｓ１２）。
【００３８】
保守者は、新規ネットワークエレメントの登録に必要な情報を、図１０に示すオペレーションシステム端末画面である増設ネットワークエレメント登録制御にて登録する（Ｓ１３）。
保守者は、新規ネットワークエレメントの論理データを、図１１に示すオペレーションシステム端末画面である区間論理接続制御にて組込み、リングネットワーク内の論理データを変更する（Ｓ１４）。
【００３９】
次に、前記のステップＳ１０からＳ１１までのオペレーションシステムの処理フローを図４の切替処理シーケンスを用いて説明する。
図４は、第三の発明に係わり、ネットワークエレメントを増設するために、ネットワークエレメントの切替を制御する切替処理シーケンスであり、オペレーションシステム端末１と、要求処理部２１、警報画面連携部２２、パス一覧連携部２３、データベース部２４を備えるオペレーションシステム２と、リングネットワークを構成するネットワークエレメント３との処理を示している。
【００４０】
該オペレーションシステム端末１は、前記ステップＳ９における切替判断パスについての切替判断の結果を該要求処理部２１に通知する（ｋ）。
該要求処理部２１は、図８のパス情報収集結果（選択制御後）より知れる、切替判断パスに属する切替可能なパスを切替が可能な状態に遷移させるべく、該パスを有するネットワークエレメントに対し下記の制御を行い（ｌ）、制御応答を受信する（ｍ）。なお、該シーケンスｌ、ｍは該当するネットワークエレメントの数に応じて繰り返し実施する。
・手動切替中で切替ＯＫのパスに対しては、手動切替を解除する。
・強制切替中で切替ＯＫのパスに対しては、強制切替を解除する。
・ロックアウト中で切替ＯＫのパスに対しては、ロックアウトを解除する。
・切替先警報有で切替ＯＫのパスに対しては、強制切替を行う。
・切替ＮＧのパスに対しては、制御は行わない。
【００４１】
該要求処理部２１は、切替先の警報要因が取り除かれ、保守者が切替可能と判断した全てのパスが切替可能な状態に遷移したことを、前記シーケンスｍの制御応答を監視することによって判断した場合に、ネットワークエレメントに対してパス手動切替を実施し（ｎ）、その切替応答を受信する（ｏ）。なお、該シーケンスｎ、ｏは該当するネットワークエレメントの数に応じて繰り返し実施する。
【００４２】
該要求処理部２１は、ネットワークエレメントの切替状態を該オペレーションシステム端末１へ通知する（ｐ）。
【００４３】
【発明の効果】
以上記載したように、本発明のネットワークオペレーションシステムでは、リングネットワークにネットワークエレメントを増設する場合、該ネットワークエレメントを増設する区間を使用しているパスの状態をオペレーションシステムが収集し、該収集結果をパスの状態別に分類することで、保守者が行うリングネットワークの状態を調査する作業を軽減し、同一状態の複数のパスに対してパス切替を一括して行うネットワークオペレーションシステムを提供することができる。
【００４４】
第一の発明によれば、前記のパス一覧連携部でパスの切替状態およびパスの運用状態を収集することによって、保守者が行う、リングネットワーク状態を調査する作業を軽減することが可能となる。
第二の発明によれば、リングネットワークに存在するパスを、切替可能パス、切替判断パス、切替不可パスに分類することによって、保守者が行う、切替が可能か否かの判断をするパスを特定することが可能となる。
【００４５】
第三の発明によれば、切替判断パスを切替可能な状態に遷移することで、切替可能と判断された全てのパスを一括して手動切替することが可能となり、保守者が行うリングネットワークおよびオペレーションシステムに対する作業の軽減が可能となる。
【図面の簡単な説明】
【図１】ネットワークエレメント増設処理フロー（１）
【図２】ネットワークエレメント増設処理フロー（２）
【図３】情報収集処理シーケンス
【図４】切替処理シーケンス
【図５】リングネットワーク選択制御
【図６】増設区間選択制御
【図７】パス情報収集結果（選択制御前）
【図８】パス情報収集結果（選択制御後）
【図９】区間物理接続制御
【図１０】増設ネットワークエレメント登録制御
【図１１】区間論理接続制御
【図１２】従来のネットワークエレメント増設処理フロー
【図１３】リングネットワーク画面
【図１４】パス一覧画面
【図１５】パス一括切替画面
【図１６】パス警報画面
【図１７】ネットワークエレメント登録画面
【符号の説明】
１                オペレーションシステム端末
２                オペレーションシステム
２１              要求処理部
２２              警報画面連携部
２３              パス一覧連携部
２４              データベース部
３                ネットワークエレメント
【図１】
2004247787.tif 000003
【図２】
2004247787.tif 000004
【図３】
2004247787.tif 000005
【図４】
2004247787.tif 000006
【図５】
2004247787.tif 000007
【図６】
2004247787.tif 000008
【図７】
2004247787.tif 000009
【図８】
2004247787.tif 000010
【図９】
2004247787.tif 000011
【図１０】
2004247787.tif 000012
【図１１】
2004247787.tif 000013
【図１２】
2004247787.tif 000014
【図１３】
2004247787.tif 000015
【図１４】
2004247787.tif 000016
【図１５】
2004247787.tif 000017
【図１６】
2004247787.tif 000018
【図１７】
2004247787.tif 000019